【手続補正書】
【提出日】令和1年5月13日(2019.5.13)
【手続補正１】
【補正対象書類名】特許請求の範囲
【補正対象項目名】全文
【補正方法】変更
【補正の内容】
【特許請求の範囲】
【請求項１】
第１の端部及び第２の端部を有する上側部材と、
前記上側部材の第１の端部に接続された少なくとも１つの第１の脚部と、
前記上側部材の第２の端部に接続された少なくとも１つの第２の脚部と、
第１の縁部と、前記第１の縁部に対向する第２の縁部とを有する可曲な本体であって、前記本体の第１の縁部に近接し且つ前記本体の第２の縁部に近接した前記上側部材に接続されて、前記上側部材の下側にパウチ又はチャネルを規定する可曲な本体と、
前記上側部材に取り付けられた複数の幕スクリーンコネクタであって、各幕スクリーンコネクタは、前記幕スクリーンコネクタの本体から離れる第１の方向に延びる第１の突起と、前記幕スクリーンコネクタの本体から離れる第２の方向に延びる第２の突起とを有しており、前記第２の方向は前記第１の方向の反対であり、前記複数の幕スクリーンコネクタは、前記複数の幕スクリーンコネクタの第１及び第２の突起が前記上側部材の下側に配置されるように、前記上側部材の底部に規定された下側下向き開口内で前記上側部材に取り付けられている、複数の幕スクリーンコネクタと、
を備えており、
前記可曲な本体は、前記第１の縁部に近接する複数の孔と、前記第２の縁部に近接する複数の孔とを有しており、
前記第１の突起は、前記第１の縁部に近接する孔を通って、前記上側部材に前記第１の縁部が近接するように前記可曲な本体を接続し、前記第２の突起は、前記第２の縁部に近接する孔を通って、前記上側部材に前記第２の縁部が近接するように前記可曲な本体を接続する、
プライバシースクリーン装置。
【請求項２】
前記本体は、前記第１の縁部から前記第２の縁部まで延びる前記本体の第１の外面と、前記第１の縁部から前記第２の縁部まで延びる前記本体の第２の内面とを有しており、前記第２の内面は、前記パウチ又はチャネルを規定する、請求項１に記載のプライバシースクリーン装置。
【請求項３】
少なくとも１つのコードが、前記パウチ又はチャネル内に配置可能である、請求項１に記載のプライバシースクリーン装置。
【請求項４】
前記上側部材は少なくとも１つのアウトレットを有する、請求項３に記載のプライバシースクリーン装置。
【請求項５】
前記少なくとも１つのアウトレットは、壁アウトレットに接続可能であって、前記壁アウトレットからの電流を受け取って、前記上側部材のアウトレットに接続された電子機器に電力を供給する、請求項４に記載のプライバシースクリーン装置。
【請求項６】
前記第１の脚部の下端部は、床接触要素に取り付けられており、前記第２の脚部の下端部は、床接触要素に取り付けられている、請求項５に記載のプライバシースクリーン装置。
【請求項７】
各床接触要素はグライド又はキャスタから構成されている、請求項６に記載のプライバシースクリーン装置。
【請求項８】
前記可曲な本体は、離間した複数の窪みセクションと離間した複数のピローセクションとを有する発泡体からなり、前記ピローセクションは前記窪みセクションよりも厚い、請求項５に記載のプライバシースクリーン装置。
【請求項９】
前記可曲な本体が、前記発泡体の外面に取り付けられたフィルム又は布地カバーを有する、請求項８に記載のプライバシースクリーン装置。
【請求項１０】
前記本体が前記可曲な本体の第１の縁部と第２の縁部とに近接した前記上側部材に接続される場合、前記可曲な本体は、Ｕ字状、Ｃ字状、又はＶ字状となる、請求項８に記載のプライバシースクリーン装置。
【請求項１１】
複数の第１のリング要素であって、前記複数の第１のリング要素の各々は、前記第１の縁部に近接した前記可曲な本体の複数の孔の１つに個別に配置されて、その第１のリング要素が配置されている孔の周囲を規定する前記可曲な本体の一部を覆って、その第１のリング要素が配置されている孔の付近で前記可曲な本体を補強する、複数の第１のリング要素と、
複数の第２のリング要素であって、前記複数の第２のリング要素の各々は、前記第２の縁部に近接した前記可曲な本体の複数の孔の１つに個別に配置されて、その第２のリング要素が配置されている孔の周囲を規定する前記可曲な本体の一部を覆って、その第２のリング要素が配置されている孔の付近で前記可曲な本体を補強する、複数の第２のリング要素と、
を備えており、
前記幕スクリーンコネクタは、前記上側部材の第１の端部と第２の端部の間で前記上側部材に取り付けられる、請求項１に記載のプライバシースクリーン装置。
【請求項１２】
前記第１のリング要素は円形又は多角形の環状体であり、前記第２のリング要素は円形又は多角形の環状体である、請求項１１に記載のプライバシースクリーン装置。
【請求項１３】
前記上側部材の第１の端部は、脚部コネクタに接続され、前記脚部コネクタは、前記少なくとも１つの第１の脚部を前記上側部材の第１の端部に取り付ける、請求項１に記載のプライバシースクリーン装置。
【請求項１４】
前記上側部材の第２の端部は、前記上側部材の第２の端部に前記第２の脚部を接続するための上側部材間コネクタ装置に接続されている、請求項１３に記載のプライバシースクリーン装置。
【請求項１５】
プライバシースクリーン装置であって、
第１の端部及び第２の端部を有する上側部材と、
前記上側部材の第１の端部に接続された少なくとも１つの第１の脚部と、
前記上側部材の第２の端部に接続された少なくとも１つの第２の脚部と、
第１の縁部と、前記第１の縁部に対向する第２の縁部とを有する可曲な本体であって、前記本体の第１の縁部に近接し且つ前記本体の第２の縁部に近接した前記上側部材に接続されて、前記上側部材の下側にパウチ又はチャネルを規定する可曲な本体と、
を備えており、
前記上側部材の第１の端部は脚部コネクタに接続されており、前記脚部コネクタは、前記少なくとも１つの第１の脚部を前記上側部材の第１の端部に取り付けており、
前記上側部材の第２の端部は、前記上側部材の第２の端部に前記少なくとも１つの第２の脚部を接続するための上側部材間コネクタ装置に接続されており、
前記上側部材は第１の上側部材であって、前記プライバシースクリーン装置は、第２の上側部材を更に備えており、
前記上側部材間コネクタ装置は、前記第１の上側部材の第２の端部に近接した前記第１の上側部材の下向き開口に配置され、且つ、前記第２の上側部材の第１の端部に近接した前記第２の上側部材の下向き開口内にあって、前記第１の上側部材と前記第２の上側部材とを互いに接続し、前記少なくとも１つの第２の脚部を前記第２の上側部材の第１の端部に接続し、
前記プライバシースクリーン装置は、前記第１の上側部材の底部に規定された下側下向き開口内で前記上側部材に取り付けられている複数の幕スクリーンコネクタを備えており、各幕スクリーンコネクタは、その幕スクリーンコネクタの本体から離れる第１の方向に延びて、前記可曲な本体の第１の縁部に近接する孔を通る第１の突起と、その幕スクリーンコネクタの本体から離れる第２の方向に延びて、前記可曲な本体の第２の縁部に近接する孔を通るように配置される第２の突起とを有しており、前記第２の方向は前記第１の方向の反対であり、
前記複数の幕スクリーンコネクタは、前記複数の幕スクリーンコネクタの第１及び第２の突起が前記第１の上側部材の下側に配置されるように前記第１の上側部材に取り付けられている、プライバシースクリーン装置。
【請求項１６】
前記第１の上側部材は少なくとも１つのアウトレットを有しており、前記第２の上側部材は少なくとも１つのアウトレットを有しており、少なくとも１つのコードが、前記パウチ又はチャネル内に配置可能である、請求項１５に記載のプライバシースクリーン装置。
【請求項１７】
前記可曲な本体は、離間した複数の窪みセクションと離間した複数のピローセクションとを有する発泡体からなり、前記ピローセクションは前記窪みセクションよりも厚い、請求項１５に記載のプライバシースクリーン装置。
【請求項１８】
前記可曲な本体が、前記発泡体の外面に取り付けられたフィルム又は布地カバーを有する、請求項１７に記載のプライバシースクリーン装置。
【請求項１９】
前記本体が前記可曲な本体の第１の縁部と第２の縁部とに近接した前記第１の上側部材に接続される場合、前記可曲な本体は、Ｕ字状、Ｃ字状、又はＶ字状となる、請求項１５に記載のプライバシースクリーン装置。